(57)【要約】【課題】専用の録画機能を有しなくてもハイブリッドディスクにコンテンツを録画することができる情報機器を提供する。【解決手段】情報機器１は、録画ソフトウェアが記録された書換不可能層８と、書換不可能層８に積層された書換可能層９とを有するハイブリッドディスク７を駆動するドライブ装置５と、ドライブ装置５によって駆動されたハイブリッドディスク７の書換不可能層８から録画ソフトウェアを読み込んでコンテンツを録画してハイブリッドディスク７の書換可能層９に記録する録画処理ユニット２とを備える。【選択図】図１
2011222076.tif 000002
【特許請求の範囲】
【請求項１】
録画ソフトウェアが記録された書換不可能層と、前記書換不可能層に積層された書換可能層とを有するハイブリッドディスクを駆動するドライブ手段と、
前記ドライブ手段によって駆動されたハイブリッドディスクの書換不可能層から前記録画ソフトウェアを読み込んでコンテンツを録画して前記ハイブリッドディスクの書換可能層に記録する録画処理手段とを備えたことを特徴とする情報機器。
【請求項２】
前記書換不可能層には、映像コンテンツと、前記映像コンテンツに関連する関連コンテンツを録画する関連録画ソフトウェアとがさらに記録されており、
番組コンテンツを受信するチューナと、
前記書換不可能層から前記関連録画ソフトウェアを読み込み、前記チューナによって受信された前記番組コンテンツから前記関連コンテンツを選択して録画し、前記ハイブリッドディスクの書換可能層に記録する関連録画処理手段とをさらに備えた請求項１記載の情報機器。
【請求項３】
前記映像コンテンツに関連する関連コンテンツは、前記映像コンテンツのタイトルに関連するタイトルを有しているか、前記映像コンテンツの出演者に関連する出演者を有している請求項２記載の情報機器。
【請求項４】
前記コンテンツは、番組コンテンツであり、
前記書換不可能層には、前記番組コンテンツを予約録画するための予約情報がさらに記録されており、
前記録画処理手段は、前記予約情報に基づいて前記番組コンテンツを録画する請求項１記載の情報機器。
【請求項５】
前記書換不可能層には、映像コンテンツと、前記ハイブリッドディスクに記録されているコンテンツを再生するための再生ソフトウェアとがさらに記録されており、
前記書換可能層には、他の映像コンテンツが記録されており、
前記ハイブリッドディスクの書換不可能層から前記再生ソフトウェアを読み込んで、前記書換不可能層に記録された映像コンテンツと、前記書換可能層に記録された他の映像コンテンツと、前記録画処理手段によって書換可能層に記録されたコンテンツとのいずれかを再生する再生処理手段をさらに備える請求項１記載の情報機器。
【請求項６】
録画ソフトウェアが記録された書換不可能層と、前記書換不可能層に積層された書換可能層とを有するハイブリッドディスクを駆動し、
前記駆動されたハイブリッドディスクの書換不可能層から前記録画ソフトウェアを読み込んでコンテンツを録画して前記ハイブリッドディスクの書換可能層に記録することを特徴とする情報機器の動作方法。
【請求項７】
コンピュータに、録画ソフトウェアが記録された書換不可能層と、前記書換不可能層に積層された書換可能層とを有するハイブリッドディスクを駆動する手順と、
前記駆動されたハイブリッドディスクの書換不可能層から前記録画ソフトウェアを読み込んでコンテンツを録画して前記ハイブリッドディスクの書換可能層に記録する手順とを実行させることを特徴とするプログラム。
【請求項８】
コンピュータに、録画ソフトウェアが記録された書換不可能層と、前記書換不可能層に積層された書換可能層とを有するハイブリッドディスクを駆動する手順と、
前記駆動されたハイブリッドディスクの書換不可能層から前記録画ソフトウェアを読み込んでコンテンツを録画して前記ハイブリッドディスクの書換可能層に記録する手順とを実行させるためのプログラムを記録したことを特徴とするコンピュータ読み取り可能な記録媒体。
【請求項９】
録画ソフトウェアが記録された書換不可能層と、前記書換不可能層に積層された書換可能層とを有する光記録媒体であって、
前記書換不可能層から読み出された録画ソフトウェアによりコンテンツが録画されて前記書換可能層に記録されることを特徴とする光記録媒体。
【発明の詳細な説明】
【技術分野】
【０００１】
本発明は、書換不可能層と、この書換不可能層に積層された書換可能層とを有するハイブリッドディスクを駆動するドライブ装置を備えた情報機器に関する。
【背景技術】
【０００２】
書換不可能層と、この書換不可能層に積層された書換可能層とを有するハイブリッドディスクを用いて、書換不可能層（以下、「ＲＯＭ層」ともいう）にアプリケーションプログラムを格納し、書換可能層（以下、「ＲＥ層」ともいう）にデータを読み書きする機器が提案されている（特許文献１）。
【０００３】
ＢＤ（Blu-ray（登録商標））メディアに記録された映像コンテンツを視聴しようとするときは、レコーダ等の録画再生装置を用いてＢＤメディアに記録された映像コンテンツを再生する。また、映像コンテンツをＢＤメディアに記録しようとするときは、記録可能なＢＤメディアと、「ＢＤメディアへの録画機能」を有するレコーダ等の録画装置とを用いて記録する。
【先行技術文献】
【特許文献】
【０００４】
【特許文献１】特開２００９−１９３６３３号公報（２００９年８月２７日公開）
【発明の概要】
【発明が解決しようとする課題】
【０００５】
しかしながら、映像コンテンツをＢＤメディアに記録しようとするときは、「ＢＤメディアへの録画機能」という専用の録画機能を有する機器を使用するしかなく、また、このような専用の録画機能を有する機器は高価であるため、使用できるケースがある程度限定されてしまうという問題がある。
【０００６】
また、映像コンテンツをＢＤメディアに記録する場合、ユーザのメディアの使用態様としては、１枚のメディア内に関連のあるコンテンツをまとめる場合が多いが、このような類似コンテンツを１枚のディスクにまとめるためには、ユーザが意識して手動で操作するしかなく、コンテンツの管理が容易にできないという問題がある。そして、コンテンツを管理するためのメモリを録画装置に搭載し、そのメモリに、記録すべき類似コンテンツ情報を登録したとしても、メモリ容量の限界があるため、すべてのディスクに対して充分に対応することができないという問題がある。
【０００７】
本発明の目的は、専用の録画機能を有しなくてもハイブリッドディスクにコンテンツを録画することができる情報機器を提供することにある。
【課題を解決するための手段】
【０００８】
本発明に係る情報機器は、録画ソフトウェアが記録された書換不可能層と、前記書換不可能層に積層された書換可能層とを有するハイブリッドディスクを駆動するドライブ手段と、前記ドライブ手段によって駆動されたハイブリッドディスクの書換不可能層から前記録画ソフトウェアを読み込んでコンテンツを録画して前記ハイブリッドディスクの書換可能層に記録する録画処理手段とを備えたことを特徴とする。
【０００９】
この特徴により、ドライブ手段によって駆動されたハイブリッドディスクの書換不可能層から録画ソフトウェアが読み込まれ、コンテンツを録画してハイブリッドディスクの書換可能層に記録する。このため、情報機器が専用の録画機能を有していなくても、ハイブリッドディスクの書換不可能層に記録された録画ソフトウェアにより、ハイブリッドディスクを情報機器に挿入するだけで、コンテンツを録画することができる。
【００１０】
本発明に係る情報機器では、前記書換不可能層には、映像コンテンツと、前記映像コンテンツに関連する関連コンテンツを録画する関連録画ソフトウェアとがさらに記録されており、番組コンテンツを受信するチューナと、前記書換不可能層から前記関連録画ソフトウェアを読み込み、前記チューナによって受信された前記番組コンテンツから前記関連コンテンツを選択して録画し、前記ハイブリッドディスクの書換可能層に記録する関連録画処理手段とをさらに備えることが好ましい。
【００１１】
上記構成により、ハイブリッドディスクの書換不可能層に記録された映像コンテンツに関連するコンテンツを自動的に１枚のディスクに録画することができる。
【００１２】
本発明に係る情報機器では、前記映像コンテンツに関連する関連コンテンツは、前記映像コンテンツのタイトルに関連するタイトルを有しているか、前記映像コンテンツの出演者に関連する出演者を有していることが好ましい。
【００１３】
上記構成により、関連するタイトルのコンテンツや関連する出演者のコンテンツを自動的に１枚のディスクに録画することができる。
【００１４】
本発明に係る情報機器では、前記コンテンツは、番組コンテンツであり、前記書換不可能層には、前記番組コンテンツを予約録画するための予約情報がさらに記録されており、前記録画処理手段は、前記予約情報に基づいて前記番組コンテンツを録画することが好ましい。
【００１５】
上記構成により、情報機器が専用の録画機能を有していなくても、予約録画を行うことができる。
【００１６】
本発明に係る情報機器では、前記書換不可能層には、映像コンテンツと、前記ハイブリッドディスクに記録されているコンテンツを再生するための再生ソフトウェアとがさらに記録されており、前記書換可能層には、他の映像コンテンツが記録されており、前記ハイブリッドディスクの書換不可能層から前記再生ソフトウェアを読み込んで、前記書換不可能層に記録された映像コンテンツと、前記書換可能層に記録された他の映像コンテンツと、前記録画処理手段によって書換可能層に記録されたコンテンツとのいずれかを再生する再生処理手段をさらに備えることが好ましい。
【００１７】
上記構成により、情報機器が専用の再生機能を有していなくても、ハイブリッドディスクの書換不可能層に記録された再生ソフトウェアにより、ハイブリッドディスクを情報機器に挿入するだけで、コンテンツを再生することができる。
【００１８】
本発明に係る情報機器の動作方法は、録画ソフトウェアが記録された書換不可能層と、前記書換不可能層に積層された書換可能層とを有するハイブリッドディスクを駆動し、前記駆動されたハイブリッドディスクの書換不可能層から前記録画ソフトウェアを読み込んでコンテンツを録画して前記ハイブリッドディスクの書換可能層に記録することを特徴とする。
【００１９】
本発明に係るプログラムは、コンピュータに、録画ソフトウェアが記録された書換不可能層と、前記書換不可能層に積層された書換可能層とを有するハイブリッドディスクを駆動する手順と、前記駆動されたハイブリッドディスクの書換不可能層から前記録画ソフトウェアを読み込んでコンテンツを録画して前記ハイブリッドディスクの書換可能層に記録する手順とを実行させることを特徴とする。
【００２０】
本発明に係るコンピュータ読み取り可能な記録媒体は、コンピュータに、録画ソフトウェアが記録された書換不可能層と、前記書換不可能層に積層された書換可能層とを有するハイブリッドディスクを駆動する手順と、前記駆動されたハイブリッドディスクの書換不可能層から前記録画ソフトウェアを読み込んでコンテンツを録画して前記ハイブリッドディスクの書換可能層に記録する手順とを実行させるためのプログラムを記録したことを特徴とする。
【００２１】
本発明に係る光記録媒体は、録画ソフトウェアが記録された書換不可能層と、前記書換不可能層に積層された書換可能層とを有する光記録媒体であって、前記書換不可能層から読み出された録画ソフトウェアによりコンテンツが録画されて前記書換可能層に記録されることを特徴とする。
【発明の効果】
【００２２】
本発明に係る情報機器は、ドライブ手段によって駆動されたハイブリッドディスクの書換不可能層から録画ソフトウェアを読み込んでコンテンツを録画してハイブリッドディスクの書換可能層に記録する録画処理手段を備えているので、情報機器が専用の録画機能を有していなくても、ハイブリッドディスクの書換不可能層に記録された録画ソフトウェアにより、ハイブリッドディスクを情報機器に挿入するだけで、コンテンツを録画することができる。
【図面の簡単な説明】
【００２３】
【図１】実施の形態に係る情報機器の構成を示すブロック図である。
【図２】上記情報機器によって駆動されるハイブリッドディスクの構成を示す模式図である。
【図３】実施の形態に係る情報機器の動作を説明するための機能ブロック図である。
【図４】上記情報機器の使用例を示す図であり、（ａ）は購入時のハイブリッドディスクの構成を示す模式図であり、（ｂ）は自動記録を設定する時のハイブリッドディスクの構成を示す模式図であり、（ｃ）は録画開始した後のハイブリッドディスクの構成を示す模式図である。
【発明を実施するための形態】
【００２４】
本発明の情報機器に関する実施形態について、図１〜図４に基づいて説明すれば、以下のとおりである。図１は実施の形態に係る情報機器１の構成を示すブロック図であり、図２は情報機器１によって駆動されるハイブリッドディスク７の構成を示す模式図である。
【００２５】
（実施の形態に係る情報機器の構成）
情報機器１は、ハイブリッドディスク７を駆動するドライブ装置５を備えている。ハイブリッドディスク７は、書換不可能層（以下、「ＲＯＭ層」ともいう）８と、書換不可能層８に積層された書換可能層（以下、「ＲＥ層」ともいう）９とを有している。書換不可能層８には、録画ソフトウェアと、映像コンテンツと、この映像コンテンツに関連する関連コンテンツを録画するための関連録画ソフトウェアと、この映像コンテンツを再生するための再生ソフトウェアとが記録されている。書換可能層９には、他の映像コンテンツが記録されている。
【００２６】
情報機器１には、ＣＰＵ処理装置１０と、ＤＲＡＭにより構成されたメモリ１１と、番組コンテンツを受信するチューナ１５と、チューナインターフェース６と、ディスプレイインターフェース１２とが設けられている。情報機器１のチューナインターフェース６には、アンテナ等の外部機器１４が接続されており、ディスプレイインターフェース１２には、ディスプレイ等の外部機器１３が接続されている。
【００２７】
情報機器１は、録画処理ユニット２を有している。録画処理ユニット２は、ドライブ装置５によって駆動されたハイブリッドディスク７の書換不可能層８から録画ソフトウェアを読み込んで、チューナ１５により受信された番組コンテンツを録画してハイブリッドディスク７の書換可能層９に記録する。
【００２８】
情報機器１には、関連録画処理ユニット３が設けられている。関連録画処理ユニット３は、ハイブリッドディスク７の書換不可能層８から関連録画ソフトウェアを読み込み、チューナ１５によって受信された番組コンテンツから、ハイブリッドディスク７の書換不可能層８に記録された映像コンテンツに関連する関連コンテンツを選択して録画し、ハイブリッドディスク７の書換可能層９に記録する。
【００２９】
情報機器１は、再生処理ユニット４を有している。再生処理ユニット４は、ハイブリッドディスク７の書換不可能層８から再生ソフトウェアを読み込んで、書換不可能層８に記録された映像コンテンツと、書換可能層９に記録された他の映像コンテンツと、録画処理ユニット２によって書換可能層９に記録されたコンテンツとのいずれかを再生する。
【００３０】
（実施の形態に係る情報機器の動作）
図３は、情報機器１の機能を説明するための機能ブロック図である。情報機器１には、アプリケーション制御部１６と番組ストリーム読み出し部１７とＲＯＭ層データ読み出し部１８とＲＥ層データ読み出し部１９とＲＥ層データ書込み部２０とがさらに設けられている。
【００３１】
ＲＯＭ層データ読み出し部１８は、アプリケーション制御部１６からの制御指令Ｃ１に応じて、ハイブリッドディスク７のＲＯＭ層８から関連録画ソフトウェアを読み出し、関連録画処理ユニット３に与える。そして、関連録画処理ユニット３は、アプリケーション制御部１６からの制御指令Ｃ２に応じて、関連録画ソフトウェアを実行し、録画を開始する。次に、番組ストリーム読み出し部１７は、アプリケーション制御部１６からの制御指令Ｃ３に応じて、録画しようとする番組の放送ストリームをチューナ１５からメモリ１１へと読み出す。その後、ＲＥ層データ書込み部２０は、アプリケーション制御部１６からの制御指令Ｃ４に応じて、関連録画ソフトウェアの実行によって、記録可能な形式に変換された番組コンテンツをＲＥ層９に書き込む。また、予約録画を行う場合は、チャネル、録画開始時間、終了時間等の予約情報をＲＥ層９に書き込む。ＲＥ層データ読み出し部１９は、予めＲＥ層９に書き込まれている予約情報を、情報機器１のメモリ１１へと読み出し、関連録画処理ユニット３は、当該予約情報に基づいて録画を開始する。
【００３２】
このように、ハイブリッドディスク７のＲＯＭ層８にＢＤレコーダアプリケーションに対応する録画ソフトウェアを搭載すると、ハイブリッドディスク７上のＢＤレコーダアプリケーションを使用可能に構成する。これにより、ＢＤ専用の録画装置ではなくても、チューナ１５とアプリケーション実行処理手段（録画処理ユニット２、関連録画処理ユニット３、及び再生処理ユニット４）と、ハイブリッドディスク読み書き装置（ドライブ装置５）さえ備えれば、ＢＤレコーダアプリケーションを読み込んで、チューナ１５から入力される映像コンテンツを、ＲＥ層９へ記録し、再生することができる。
【００３３】
ハイブリッドディスク７のＲＯＭ層８には、ＢＤレコーダーアプリケーションと共に、大量の種類の壁紙データやボタンデータなどのＧＵＩデータも格納しておく。ＢＤレコーダーアプリケーションは、その壁紙データやボタンデータを基にＧＵＩを形成し、そのデータをユーザが選択可能に構成することで、ユーザ好みのレコーダＧＵＩを使用することができる。
【００３４】
また、チャンネル設定、録画画質、及び予約情報など、録画する上でユーザが設定する情報をＲＥ層９に書き込むことで、ハイブリッドディスク７を挿入する度に、またはＢＤレコーダーアプリケーションを立ち上げる度に録画設定を行う必要がなくなり、一度録画設定を行うと、そのディスクを使用する限りは、再設定も不要となる。上記のＧＵＩ設定においても同様に、ユーザ設定した内容をＲＥ層９に書き込むことで、一度ＧＵＩ設定を行えば、そのディスクを使用する限り、再設定不要となる。
【００３５】
さらに、ＲＯＭ層８には映像コンテンツも存在しうる。その場合、ＲＯＭ層８に搭載されているＢＤレコーダーアプリケーションを使用することでＲＯＭ層８に記録された映像コンテンツを再生可能にするだけでなく、関連する映像コンテンツを自動的にＲＥ層９へ記録することができる。
【００３６】
ＲＯＭ層８には、映像コンテンツとともにコンテンツ情報を記録しておく。ＢＤレコーダーアプリケーションはそのコンテンツ情報を基に、類似する放送コンテンツを放送波に含まれる情報から検知して選択し、ユーザが操作することなく自動でＲＥ層９に記録することができる。これにより、ＲＯＭ層８に記録されている映像コンテンツを中心に、類似するコンテンツ群を１つのハイブリッドディスク７上で管理することが容易に可能となる。
【００３７】
類似コンテンツのＲＥ記録を行うか否かの設定は、ＢＤレコーダーアプリケーションに搭載し、その設定情報をＲＥ層９に記録することで、ハイブリッドディスクによって類似コンテンツを自動記録する／しないの設定も可能となり、変更も容易にできる。
【００３８】
（実施の形態に係る情報機器の使用例）
図４は、情報機器１の使用例を示す図であり、（ａ）は購入時のハイブリッドディスク７の構成を示す模式図であり、（ｂ）は自動記録を設定する時のハイブリッドディスク７の構成を示す模式図であり、（ｃ）は録画開始した後のハイブリッドディスク７の構成を示す模式図である。
【００３９】
まず、映像コンテンツがＲＯＭ層８に記録されたハイブリッドディスク７を購入し、情報機器（録画再生装置）１に挿入する。そして、対応するＢＤレコーダソフトが情報機器１にインストールされていなくても、ハイブリッドディスク７のＲＯＭ層８に記録された録画再生ソフトウェア（ＢＤレコーダーアプリケーション）が情報機器１に読み込まれる。それにより、ＲＯＭ層８に記録された映像コンテンツの再生をスタートすることができる上、ディスクの入れ替えを行う必要なく、放送コンテンツの録画も行える。さらに、ＲＯＭ層８に記録された映像コンテンツに関連する放送コンテンツ（出演者が同一、同じタイトルのＴＶシリーズ番組など）をＲＥ層９に自動で記録することができ、一枚のハイブリッドディスクにより、類似するコンテンツをすべて記録、再生することができる。
【００４０】
（プログラム及び記録媒体）
最後に、情報機器１に含まれている各部は、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００４１】
すなわち情報機器は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、及び、上記プログラム及び各種データを格納するメモリ等の記憶装置（記録媒体）を備えている。この構成により、本発明の目的は、所定の記録媒体によっても、達成できる。
【００４２】
この記録媒体は、上述した機能を実現するソフトウェアである情報機器のプログラムのプログラムコード（実行形式プログラム、中間コードプログラム、ソースプログラム）をコンピュータで読み取り可能に記録していればよい。多目的情報機器に、この記録媒体を供給する。これにより、コンピュータとしての多目的情報機器（またはＣＰＵやＭＰＵ）が、供給された記録媒体に記録されているプログラムコードを読み出し、実行すればよい。
【００４３】
プログラムコードを情報機器に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００４４】
また、情報機器を通信ネットワークと接続可能に構成しても、本発明の目的を達成できる。この場合、上記のプログラムコードを、通信ネットワークを介して情報機器に供給する。この通信ネットワークは情報機器にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００４５】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００４６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４７】
本発明は、書換不可能層と、この書換不可能層に積層された書換可能層とを有するハイブリッドディスクを駆動するドライブ装置を備えた情報機器に適用することができる。
【符号の説明】
【００４８】
１  情報機器
２  録画処理ユニット（録画処理手段）
３  関連録画処理ユニット（関連録画処理手段）
４  再生処理ユニット（再生処理手段）
５  ドライブ装置（ドライブ手段）
６  チューナインターフェース
７  ハイブリッドディスク
８  書換不可能層
９  書換可能層
１０  ＣＰＵ処理装置
１１  メモリ
１２  ディスプレイインターフェース
１３  外部機器
１４  外部機器
１５  チューナ
１６  アプリケーション制御部
１７  番組ストリーム読み出し部
１８  ＲＯＭ層データ読み出し部
１９  ＲＥ層データ読み出し部
２０  ＲＥ層データ書込み部
【図１】
2011222076.tif 000003
【図２】
2011222076.tif 000004
【図３】
2011222076.tif 000005
【図４】
2011222076.tif 000006